(57)【要約】【課題】  無線携帯端末への操作情報の登録に手間がかからず、ネットワークへの接続環境がない場合にも操作情報を登録でき、かつ無線携帯端末におけるリモコン操作の操作性を向上させることができる機器操作システムを提供する。【解決手段】  操作対象の機器に設けられた操作情報送出装置のモード管理手段２は、モード変更時に、変更後のモードを制御手段３に通知する。制御手段３は、モード管理手段２からの通知を受けると、変更後のモード（つまり該機器の現モード）に有効な操作情報（リモコンコードなど）を操作情報メモリ手段１から読み出し操作情報通信手段４から無線携帯端末へ送信させ、無線携帯端末に該機器の現モードに対応する操作情報を登録させる。【選択図】    図１
2006074529.tif 000002
【特許請求の範囲】
【請求項１】
機器に設けられる操作情報送出装置と該機器の遠隔操作が可能な無線携帯端末とからなる機器操作システムであって、
前記操作情報送出装置は、
前記機器を遠隔操作するための遠隔操作コードとその遠隔操作コードの操作内容を表す操作内容情報とを含む操作情報を記憶する第１の操作情報記憶手段と、
前記機器の現モードに対応する前記操作情報を前記第１の操作情報記憶手段から読み出して前記無線携帯端末へ送信する第１の送信手段と、
前記無線携帯端末から送信される前記遠隔操作コードを受信する第１の受信手段と、
を備え、前記第１の受信手段で受信した前記遠隔操作コードを前記機器の動作を制御する制御手段へ通知し、
前記無線携帯端末は、
前記第１の送信手段からの前記操作情報を受信する第２の受信手段と、
前記第２の受信手段で受信した前記操作情報を記憶する第２の操作情報記憶手段と、
前記第２の操作情報記憶手段に記憶した前記遠隔操作コードの選択が可能な入力手段と、
前記第２の操作情報記憶手段に記憶した前記遠隔操作コードに対して前記入力手段の操作手順を割り当てる割り当て手段と、
前記第２の操作情報記憶手段に記憶した前記操作内容情報を、前記割り当て手段によって割り当てられた前記操作手順を特定する情報に対応させて表示する表示手段と、
前記入力手段によって選択された前記遠隔操作コードを前記第２の操作情報記憶手段から読み出して前記操作情報送出装置へ送信する第２の送信手段と、
を備えることを特徴とする機器操作システム。
【請求項２】
機器に設けられる操作情報送出装置と該機器の遠隔操作が可能な無線携帯端末とからなる機器操作システムであって、
前記操作情報送出装置は、
前記機器を遠隔操作するための遠隔操作コードを含む操作情報を記憶する第１の操作情報記憶手段と、
前記機器の現モードに対応する前記操作情報を前記第１の操作情報記憶手段から読み出して前記無線携帯端末へ送信する第１の送信手段と、
前記無線携帯端末から送信される前記遠隔操作コードを受信する第１の受信手段と、
を備え、前記第１の受信手段で受信した前記遠隔操作コードを前記機器の動作を制御する制御手段へ通知し、
前記無線携帯端末は、
前記第１の送信手段からの前記操作情報を受信する第２の受信手段と、
前記第２の受信手段で受信した前記操作情報を記憶する第２の操作情報記憶手段と、
前記第２の操作情報記憶手段に記憶した前記遠隔操作コードの選択が可能な複数の入力手段と、
前記入力手段に設けられた点灯手段と、
前記第２の操作情報記憶手段に記憶した前記遠隔操作コードに対して前記入力手段の何れかを割り当てる割り当て手段と、
前記割り当て手段による割り当てに応じて前記点灯手段の点灯制御を行う点灯制御手段と、
前記入力手段によって選択された前記遠隔操作コードを前記第２の操作情報記憶手段から読み出して前記操作情報送出装置へ送信する第２の送信手段と、
を備えることを特徴とする機器操作システム。
【請求項３】
機器に設けられる操作情報送出装置と該機器の遠隔操作が可能な無線携帯端末とからなる機器操作システムであって、
前記操作情報送出装置は、
前記機器を遠隔操作するための遠隔操作コードとその遠隔操作コードの操作内容を表す操作内容情報とを含む操作情報を記憶する第１の操作情報記憶手段と、
前記機器の現モードに対応する前記操作情報を前記第１の操作情報記憶手段から読み出して前記無線携帯端末へ送信する第１の送信手段と、
前記無線携帯端末から送信される前記遠隔操作コードを受信する第１の受信手段と、
を備え、前記第１の受信手段で受信した前記遠隔操作コードを前記機器の動作を制御する制御手段へ通知し、
前記無線携帯端末は、
前記第１の送信手段からの前記操作情報を受信する第２の受信手段と、
前記第２の受信手段で受信した前記操作情報を記憶する第２の操作情報記憶手段と、
前記第２の操作情報記憶手段に記憶した前記遠隔操作コードの選択が可能な複数の入力手段と、
前記入力手段に設けられた点灯手段と、
前記第２の操作情報記憶手段に記憶した前記遠隔操作コードに対して前記入力手段の何れかを割り当てる割り当て手段と、
前記割り当て手段による割り当てに応じて前記点灯手段の点灯制御を行う点灯制御手段と、
前記第２の操作情報記憶手段に記憶した前記操作内容情報を、前記割り当て手段によって割り当てられた前記入力手段を特定する情報に対応させて表示する表示手段と、
前記入力手段によって選択された前記遠隔操作コードを前記第２の操作情報記憶手段から読み出して前記操作情報送出装置へ送信する第２の送信手段と、
を備えることを特徴とする機器操作システム。
【請求項４】
前記無線携帯端末は携帯電話であることを特徴とする請求項１ないし３のいずれかに記載の機器操作システム。
【請求項５】
前記操作情報送出装置は、前記第１の送信手段と前記第１の受信手段を送受信手段として備えることを特徴とする請求項１ないし４のいずれかに記載の機器操作システム。
【請求項６】
前記無線携帯端末は、前記第２の送信手段と前記第２の受信手段を送受信手段として備えることを特徴とする請求項１ないし５のいずれかに記載の機器操作システム。
【請求項７】
請求項１もしくは３のいずれかに記載の機器操作システムに供する操作情報送出装置であって、
該操作情報送出装置が設けられている機器を遠隔操作するための遠隔操作コードとその遠隔操作コードの操作内容を表す操作内容情報とを含む操作情報を記憶する第１の操作情報記憶手段と、
前記機器の現モードに対応する前記操作情報を前記第１の操作情報記憶手段から読み出して無線携帯端末へ送信する第１の送信手段と、
前記無線携帯端末から送信される前記遠隔操作コードを受信する第１の受信手段と、
を備え、前記第１の受信手段で受信した前記遠隔操作コードを前記機器の動作を制御する制御手段へ通知することを特徴とする操作情報送出装置。
【請求項８】
請求項２記載の機器操作システムに供する操作情報送出装置であって、
該操作情報送出装置が設けられている機器を遠隔操作するための遠隔操作コードを含む操作情報を記憶する第１の操作情報記憶手段と、
前記機器の現モードに対応する前記操作情報を前記第１の操作情報記憶手段から読み出して無線携帯端末へ送信する第１の送信手段と、
前記無線携帯端末から送信される前記遠隔操作コードを受信する第１の受信手段と、
を備え、前記第１の受信手段で受信した前記遠隔操作コードを前記機器の動作を制御する制御手段へ通知することを特徴とする操作情報送出装置。
【請求項９】
前記無線携帯端末は携帯電話であることを特徴とする請求項７もしくは８のいずれかに記載の操作情報送出装置。
【請求項１０】
前記第１の送信手段と前記第１の受信手段を送受信手段として備えることを特徴とする請求項７ないし９のいずれかに記載の操作情報送出装置。
【請求項１１】
請求項７ないし１０のいずれかに記載の操作情報送出装置を備える操作情報送出装置付き電子機器。
【請求項１２】
請求項１記載の機器操作システムに供する無線携帯端末であって、
操作情報送出装置が設けられている機器を遠隔操作するための遠隔操作コードとその遠隔操作コードの操作内容を表す操作内容情報とを含む操作情報をその操作情報送出装置から受信する第２の受信手段と、
前記第２の受信手段で受信した前記操作情報を記憶する第２の操作情報記憶手段と、
前記第２の操作情報記憶手段に記憶した前記遠隔操作コードの選択が可能な入力手段と、
前記第２の操作情報記憶手段に記憶した前記遠隔操作コードに対して前記入力手段の操作手順を割り当てる割り当て手段と、
前記第２の操作情報記憶手段に記憶した前記操作内容情報を、前記割り当て手段によって割り当てられた前記操作手順を特定する情報に対応させて表示する表示手段と、
前記入力手段によって選択された前記遠隔操作コードを前記第２の操作情報記憶手段から読み出して前記操作情報送出装置へ送信する第２の送信手段と、
を備えることを特徴とする無線携帯端末。
【請求項１３】
請求項２記載の機器操作システムに供する無線携帯端末であって、
操作情報送出装置が設けられている機器を遠隔操作するための遠隔操作コードを含む操作情報をその操作情報送出装置から受信する第２の受信手段と、
前記第２の受信手段で受信した前記操作情報を記憶する第２の操作情報記憶手段と、
前記第２の操作情報記憶手段に記憶した前記遠隔操作コードの選択が可能な複数の入力手段と、
前記入力手段に設けられた点灯手段と、
前記第２の操作情報記憶手段に記憶した前記遠隔操作コードに対して前記入力手段の何れかを割り当てる割り当て手段と、
前記割り当て手段による割り当てに応じて前記点灯手段の点灯制御を行う点灯制御手段と、
前記入力手段によって選択された前記遠隔操作コードを前記第２の操作情報記憶手段から読み出して前記操作情報送出装置へ送信する第２の送信手段と、
を備えることを特徴とする無線携帯端末。
【請求項１４】
請求項３記載の機器操作システムに供する無線携帯端末であって、
操作情報送出装置が設けられている機器を遠隔操作するための遠隔操作コードとその遠隔操作コードの操作内容を表す操作内容情報とを含む操作情報をその操作情報送出装置から受信する第２の受信手段と、
前記第２の受信手段で受信した前記操作情報を記憶する第２の操作情報記憶手段と、
前記第２の操作情報記憶手段に記憶した前記遠隔操作コードの選択が可能な複数の入力手段と、
前記入力手段に設けられた点灯手段と、
前記第２の操作情報記憶手段に記憶した前記遠隔操作コードに対して前記入力手段の何れかを割り当てる割り当て手段と、
前記割り当て手段による割り当てに応じて前記点灯手段の点灯制御を行う点灯制御手段と、
前記第２の操作情報記憶手段に記憶した前記操作内容情報を、前記割り当て手段によって割り当てられた前記入力手段を特定する情報に対応させて表示する表示手段と、
前記入力手段によって選択された前記遠隔操作コードを前記第２の操作情報記憶手段から読み出して前記操作情報送出装置へ送信する第２の送信手段と、
を備えることを特徴とする無線携帯端末。
【請求項１５】
前記第２の送信手段と前記第２の受信手段を送受信手段として備えることを特徴とする請求項１２ないし１４のいずれかに記載の無線携帯端末。
【請求項１６】
前記無線携帯端末を、携帯電話とした請求項１２ないし１５のいずれかに記載の無線携帯端末。
【発明の詳細な説明】
【技術分野】
【０００１】
本発明は、機器に設けられ、該機器の遠隔操作のための遠隔操作コード（リモコンコード）を無線携帯端末へ送信する操作情報送出装置と、該操作情報送出装置からの遠隔操作コードを記憶しこの遠隔操作コードを該操作情報送出装置へ送信することで該機器の遠隔操作を行う無線携帯端末とからなる機器操作システム、操作情報送出装置、操作情報送出装置付き電子機器、無線携帯端末に関する。
【背景技術】
【０００２】
従来より、電子機器を遠隔操作する機能（リモコン機能）を備えるリモコン機能付無線携帯端末が提供されている（例えば、特許文献１参照。）。このリモコン機能付無線携帯端末は、操作対象の電子機器を遠隔操作するためにリモコンコード（遠隔操作コード）などの操作情報を予め登録（記憶）する必要がある。従来の登録方法としては、操作対象の電子機器専用のリモートコントロール装置（リモコン）の発光部から光信号を直接受信して登録する方法や、インターネットなどのネットワークから操作対象の電子機器のリモコンコードをダウンロードして登録する方法などがある。
【０００３】
しかしながら、上記した操作対象の電子機器専用のリモコンの発光部から光信号を直接受信して登録する方法は、登録作業に時間がかかり、またリモコンを紛失する等すると登録できなくなるという問題があった。
【０００４】
また、上記したインターネットなどのネットワークから操作対象の電子機器のリモコンコードをダウンロードして登録する方法は、ネットワークへの接続環境がない場合に登録できないという問題があった。
【０００５】
さらに、従来の登録方法のように、操作対象の電子機器の全てのリモコンコードを予め登録する方法では、例えばＤＶＤプレーヤなどの操作が複雑な電子機器が操作対象の場合、リモコン機能付無線携帯端末が備えるキーの多くが操作のために必要となり、無線携帯端末におけるリモコン操作の操作性が悪くなるという問題があった。
【特許文献１】特開２００１−９４６７５号公報
【発明の開示】
【発明が解決しようとする課題】
【０００６】
本発明は、上記問題点に鑑み、操作対象の機器に設けられた操作情報送出装置が、該機器の現モードに対応する操作情報（遠隔操作コードとその遠隔操作コードの操作内容を表す操作内容情報）を無線携帯端末に送信して、無線携帯端末に該機器の現モードに対応する操作情報を登録させるとともに、無線携帯端末が、操作内容情報を、遠隔操作コードに対して割り当てた該無線携帯端末のキー等の入力手段の操作手順の情報に対応させて表示することにより、無線携帯端末への操作情報の登録に手間がかからず、ネットワークへの接続環境がない場合にも操作情報を登録でき、かつ無線携帯端末におけるリモコン操作の操作性を向上させることができる機器操作システム、操作情報送出装置、操作情報送出装置付き電子機器、無線携帯端末を提供することを目的とする。
【課題を解決するための手段】
【０００７】
本発明の請求項１記載の機器操作システムは、機器に設けられる操作情報送出装置と該機器の遠隔操作が可能な無線携帯端末とからなる機器操作システムであって、前記操作情報送出装置は、前記機器を遠隔操作するための遠隔操作コードとその遠隔操作コードの操作内容を表す操作内容情報とを含む操作情報を記憶する第１の操作情報記憶手段と、前記機器の現モードに対応する前記操作情報を前記第１の操作情報記憶手段から読み出して前記無線携帯端末へ送信する第１の送信手段と、前記無線携帯端末から送信される前記遠隔操作コードを受信する第１の受信手段と、を備え、前記第１の受信手段で受信した前記遠隔操作コードを前記機器の動作を制御する制御手段へ通知し、前記無線携帯端末は、前記第１の送信手段からの前記操作情報を受信する第２の受信手段と、前記第２の受信手段で受信した前記操作情報を記憶する第２の操作情報記憶手段と、前記第２の操作情報記憶手段に記憶した前記遠隔操作コードの選択が可能な入力手段と、前記第２の操作情報記憶手段に記憶した前記遠隔操作コードに対して前記入力手段の操作手順を割り当てる割り当て手段と、前記第２の操作情報記憶手段に記憶した前記操作内容情報を、前記割り当て手段によって割り当てられた前記操作手順を特定する情報に対応させて表示する表示手段と、前記入力手段によって選択された前記遠隔操作コードを前記第２の操作情報記憶手段から読み出して前記操作情報送出装置へ送信する第２の送信手段と、を備えることを特徴とする。
【０００８】
また、本発明の請求項２記載の機器操作システムは、機器に設けられる操作情報送出装置と該機器の遠隔操作が可能な無線携帯端末とからなる機器操作システムであって、前記操作情報送出装置は、前記機器を遠隔操作するための遠隔操作コードを含む操作情報を記憶する第１の操作情報記憶手段と、前記機器の現モードに対応する前記操作情報を前記第１の操作情報記憶手段から読み出して前記無線携帯端末へ送信する第１の送信手段と、前記無線携帯端末から送信される前記遠隔操作コードを受信する第１の受信手段と、を備え、前記第１の受信手段で受信した前記遠隔操作コードを前記機器の動作を制御する制御手段へ通知し、前記無線携帯端末は、前記第１の送信手段からの前記操作情報を受信する第２の受信手段と、前記第２の受信手段で受信した前記操作情報を記憶する第２の操作情報記憶手段と、前記第２の操作情報記憶手段に記憶した前記遠隔操作コードの選択が可能な複数の入力手段と、前記入力手段に設けられた点灯手段と、前記第２の操作情報記憶手段に記憶した前記遠隔操作コードに対して前記入力手段の何れかを割り当てる割り当て手段と、前記割り当て手段による割り当てに応じて前記点灯手段の点灯制御を行う点灯制御手段と、前記入力手段によって選択された前記遠隔操作コードを前記第２の操作情報記憶手段から読み出して前記操作情報送出装置へ送信する第２の送信手段と、を備えることを特徴とする。
【０００９】
また、本発明の請求項３記載の機器操作システムは、機器に設けられる操作情報送出装置と該機器の遠隔操作が可能な無線携帯端末とからなる機器操作システムであって、前記操作情報送出装置は、前記機器を遠隔操作するための遠隔操作コードとその遠隔操作コードの操作内容を表す操作内容情報とを含む操作情報を記憶する第１の操作情報記憶手段と、前記機器の現モードに対応する前記操作情報を前記第１の操作情報記憶手段から読み出して前記無線携帯端末へ送信する第１の送信手段と、前記無線携帯端末から送信される前記遠隔操作コードを受信する第１の受信手段と、を備え、前記第１の受信手段で受信した前記遠隔操作コードを前記機器の動作を制御する制御手段へ通知し、前記無線携帯端末は、前記第１の送信手段からの前記操作情報を受信する第２の受信手段と、前記第２の受信手段で受信した前記操作情報を記憶する第２の操作情報記憶手段と、前記第２の操作情報記憶手段に記憶した前記遠隔操作コードの選択が可能な複数の入力手段と、前記入力手段に設けられた点灯手段と、前記第２の操作情報記憶手段に記憶した前記遠隔操作コードに対して前記入力手段の何れかを割り当てる割り当て手段と、前記割り当て手段による割り当てに応じて前記点灯手段の点灯制御を行う点灯制御手段と、前記第２の操作情報記憶手段に記憶した前記操作内容情報を、前記割り当て手段によって割り当てられた前記入力手段を特定する情報に対応させて表示する表示手段と、前記入力手段によって選択された前記遠隔操作コードを前記第２の操作情報記憶手段から読み出して前記操作情報送出装置へ送信する第２の送信手段と、を備えることを特徴とする。
【００１０】
また、本発明の請求項４記載の機器操作システムは、請求項１ないし３のいずれかに記載の機器操作システムであって、前記無線携帯端末は携帯電話であることを特徴とする。
また、本発明の請求項５記載の機器操作システムは、請求項１ないし４のいずれかに記載の機器操作システムであって、前記操作情報送出装置は、前記第１の送信手段と前記第１の受信手段を送受信手段として備えることを特徴とする。
【００１１】
また、本発明の請求項６記載の機器操作システムは、請求項１ないし５のいずれかに記載の機器操作システムであって、前記無線携帯端末は、前記第２の送信手段と前記第２の受信手段を送受信手段として備えることを特徴とする。
【００１２】
また、本発明の請求項７記載の操作情報送出装置は、請求項１もしくは３のいずれかに記載の機器操作システムに供する操作情報送出装置であって、該操作情報送出装置が設けられている機器を遠隔操作するための遠隔操作コードとその遠隔操作コードの操作内容を表す操作内容情報とを含む操作情報を記憶する第１の操作情報記憶手段と、前記機器の現モードに対応する前記操作情報を前記第１の操作情報記憶手段から読み出して無線携帯端末へ送信する第１の送信手段と、前記無線携帯端末から送信される前記遠隔操作コードを受信する第１の受信手段と、を備え、前記第１の受信手段で受信した前記遠隔操作コードを前記機器の動作を制御する制御手段へ通知することを特徴とする。
【００１３】
また、本発明の請求項８記載の操作情報送出装置は、請求項２記載の機器操作システムに供する操作情報送出装置であって、該操作情報送出装置が設けられている機器を遠隔操作するための遠隔操作コードを含む操作情報を記憶する第１の操作情報記憶手段と、前記機器の現モードに対応する前記操作情報を前記第１の操作情報記憶手段から読み出して無線携帯端末へ送信する第１の送信手段と、前記無線携帯端末から送信される前記遠隔操作コードを受信する第１の受信手段と、を備え、前記第１の受信手段で受信した前記遠隔操作コードを前記機器の動作を制御する制御手段へ通知することを特徴とする。
【００１４】
また、本発明の請求項９記載の操作情報送出装置は、請求項７もしくは８のいずれかに記載の操作情報送出装置であって、前記無線携帯端末は携帯電話であることを特徴とする。
【００１５】
また、本発明の請求項１０記載の操作情報送出装置は、請求項７ないし９のいずれかに記載の操作情報送出装置であって、前記第１の送信手段と前記第１の受信手段を送受信手段として備えることを特徴とする。
【００１６】
また、本発明の請求項１１記載の操作情報送出装置付き電子機器は、請求項７ないし１０のいずれかに記載の操作情報送出装置を備えることを特徴とする。
また、本発明の請求項１２記載の無線携帯端末は、請求項１記載の機器操作システムに供する無線携帯端末であって、操作情報送出装置が設けられている機器を遠隔操作するための遠隔操作コードとその遠隔操作コードの操作内容を表す操作内容情報とを含む操作情報をその操作情報送出装置から受信する第２の受信手段と、前記第２の受信手段で受信した前記操作情報を記憶する第２の操作情報記憶手段と、前記第２の操作情報記憶手段に記憶した前記遠隔操作コードの選択が可能な入力手段と、前記第２の操作情報記憶手段に記憶した前記遠隔操作コードに対して前記入力手段の操作手順を割り当てる割り当て手段と、前記第２の操作情報記憶手段に記憶した前記操作内容情報を、前記割り当て手段によって割り当てられた前記操作手順を特定する情報に対応させて表示する表示手段と、前記入力手段によって選択された前記遠隔操作コードを前記第２の操作情報記憶手段から読み出して前記操作情報送出装置へ送信する第２の送信手段と、を備えることを特徴とする。
【００１７】
また、本発明の請求項１３記載の無線携帯端末は、請求項２記載の機器操作システムに供する無線携帯端末であって、操作情報送出装置が設けられている機器を遠隔操作するための遠隔操作コードを含む操作情報をその操作情報送出装置から受信する第２の受信手段と、前記第２の受信手段で受信した前記操作情報を記憶する第２の操作情報記憶手段と、前記第２の操作情報記憶手段に記憶した前記遠隔操作コードの選択が可能な複数の入力手段と、前記入力手段に設けられた点灯手段と、前記第２の操作情報記憶手段に記憶した前記遠隔操作コードに対して前記入力手段の何れかを割り当てる割り当て手段と、前記割り当て手段による割り当てに応じて前記点灯手段の点灯制御を行う点灯制御手段と、前記入力手段によって選択された前記遠隔操作コードを前記第２の操作情報記憶手段から読み出して前記操作情報送出装置へ送信する第２の送信手段と、を備えることを特徴とする。
【００１８】
また、本発明の請求項１４記載の無線携帯端末は、請求項３記載の機器操作システムに供する無線携帯端末であって、操作情報送出装置が設けられている機器を遠隔操作するための遠隔操作コードとその遠隔操作コードの操作内容を表す操作内容情報とを含む操作情報をその操作情報送出装置から受信する第２の受信手段と、前記第２の受信手段で受信した前記操作情報を記憶する第２の操作情報記憶手段と、前記第２の操作情報記憶手段に記憶した前記遠隔操作コードの選択が可能な複数の入力手段と、前記入力手段に設けられた点灯手段と、前記第２の操作情報記憶手段に記憶した前記遠隔操作コードに対して前記入力手段の何れかを割り当てる割り当て手段と、前記割り当て手段による割り当てに応じて前記点灯手段の点灯制御を行う点灯制御手段と、前記第２の操作情報記憶手段に記憶した前記操作内容情報を、前記割り当て手段によって割り当てられた前記入力手段を特定する情報に対応させて表示する表示手段と、前記入力手段によって選択された前記遠隔操作コードを前記第２の操作情報記憶手段から読み出して前記操作情報送出装置へ送信する第２の送信手段と、を備えることを特徴とする。
【００１９】
また、本発明の請求項１５記載の無線携帯端末は、請求項１２ないし１４のいずれかに記載の無線携帯端末であって、前記第２の送信手段と前記第２の受信手段を送受信手段として備えることを特徴とする。
【００２０】
また、本発明の請求項１６記載の無線携帯端末は、請求項１２ないし１５のいずれかに記載の無線携帯端末であって、前記無線携帯端末を、携帯電話としたことを特徴とする。
【発明の効果】
【００２１】
本発明によれば、操作対象の機器に設けられた操作情報送出装置が、該機器の現モードに対応する操作情報（遠隔操作コードとその遠隔操作コードの操作内容を表す操作内容情報）を無線携帯端末に送信して、無線携帯端末に該機器の現モードに対応する操作情報を登録させるとともに、無線携帯端末が、操作内容情報を、遠隔操作コードに対して割り当てた該無線携帯端末の入力手段の操作手順の情報に対応させて表示したり、遠隔操作コードに対する該無線携帯端末の入力手段の割り当て方に応じて入力手段に設けられた点灯手段の点灯制御を行うので、無線携帯端末への操作情報の登録に手間がかからず、ネットワークへの接続環境がない場合にも操作情報を登録でき、かつ無線携帯端末におけるリモコン操作の操作性を向上させることができる。
【発明を実施するための最良の形態】
【００２２】
以下、本発明の実施の形態における機器操作システムについて説明する。
本実施の形態における機器操作システムは、電子機器（機器）に設けられた操作情報送出装置と、電子機器の遠隔操作を行うためのリモコン機能（リモコンモード）を備えた無線携帯端末からなり、操作対象の機器に設けられた操作情報送出装置が、該機器の現モードに対応する操作情報（遠隔操作コードとその遠隔操作コードの操作内容を表す操作内容情報）を無線携帯端末に送信して、無線携帯端末に該機器の現モードに対応する操作情報を登録させることにより、無線携帯端末による電子機器の遠隔操作（リモコン操作）が可能となる。なお、本実施の形態では、操作情報送出装置と無線携帯端末との間のデータ通信を赤外線信号を用いて行うものとする。
【００２３】
図１は本実施の形態における操作情報送出装置の概略ブロック図である。
図１において、操作情報メモリ手段（第１の操作情報記憶手段）１は、該操作情報送出装置が設けられている電子機器を遠隔操作するためのリモコンコード（遠隔操作コード）とそのリモコンコードの操作内容を表すテキスト情報（操作内容情報）とを含む操作情報を、該電子機器のモード毎に記憶している。
【００２４】
図２は操作情報メモリ手段１が記憶する操作情報テーブルの一例を説明するための図である。操作情報メモリ手段１には、図２に示すように、各モード（ＭＯＤＥ）毎に有効な操作情報が記憶されている。また図２に示すように操作情報はリモコンコードとそのリモコンコードの操作内容を表すテキスト情報を少なくとも含み、かつ各操作情報にはリモコンのキー番号の情報が付随する。
【００２５】
リモコンコード受信手段（第１の受信手段）５は、無線携帯端末から送信されるリモコンコードを受信する。モード管理手段２は、リモコンコード受信手段５で受信したリモコンコードの内容が電子機器のモードを変更するものである場合に、その変更後のモードを制御手段３に通知する。
【００２６】
制御手段３は、モード管理手段２からの通知を受け、変更後のモード（つまり該電子機器の現モード）に対応する操作情報を操作情報メモリ手段１から読み出し操作情報通信手段４から無線携帯端末へ送信させる。ここでは、制御手段３と操作情報通信手段４によって第１の送信手段を実現している。また、操作情報通信手段４は、無線携帯端末からのデータ（リモコンフォーマット送信要求など）を受信する。
【００２７】
また、制御手段３は該電子機器の動作を制御する制御手段でもあり、リモコンコード受信手段５で受信したリモコンコードをモード管理手段を介して受信し、そのリモコンコードに従って該電子機器の動作処理を行う。
【００２８】
なお、電子機器の動作を制御する制御手段を別に設けてもよく、この場合リモコンコード受信手段５で受信したリモコンコードはモード管理手段とその電子機器の動作を制御する制御手段へ通知される。また、この場合、電子機器にリモコンコード受信手段を２つ設けてもよい。
【００２９】
続いて、本実施の形態における無線携帯端末について説明する。図３は本実施の形態における無線携帯端末の概略ブロック図である。図３において、操作情報通信手段（第２の受信手段）１０は操作情報送出装置より操作情報を受信する。また、操作情報通信手段１０は、操作情報送出装置へデータ（リモコンフォーマット送信要求など）を送信する。
【００３０】
制御手段１２は、操作情報通信手段１０で受信した操作情報をメモリ手段（第２の操作情報記憶手段）１３に記憶させる。図４はメモリ手段１３が記憶する操作情報テーブルの一例を説明するための図である。図２に示すＭＯＤＥ１に対応する操作情報を受信した場合、図４に示すように、各操作情報に付随するリモコンのキー番号に従ってメモリ手段１３内のテーブルに操作情報が記憶される。このように、ここではリモコンのキー番号はアドレス情報として用いられる。
【００３１】
該無線携帯端末のキー等の入力手段１５は、該無線携帯端末がリモコンとして動作するとき、メモリ手段１３に記憶したリモコンコードを選択するのに用いられる。
制御手段１２は、メモリ手段１３に記憶したリモコンコードに対して入力手段１５の操作手順を割り当てる割り当て手段の機能を備えており、メモリ手段１３に記憶したテキスト情報を、リモコンコードに対して割り当てた入力手段１５の操作手順を特定する情報に対応させてＬＣＤなどの表示手段１４に表示させる。
【００３２】
なお、リモコンコードに対する操作手順の割り当て方としては、例えば、メモリ手段１３内の操作情報テーブルの記載順に所定の操作手順を自動的に割り当てるようにしてもよいし、操作情報に操作手順を指示する情報を予め含めておき、制御手段１２がその指示に従って割り当てるようにしてもよい。また、表示手段１４にまずテキスト情報のみを表示して、ユーザに操作手順を登録させるようにしてもよい。
【００３３】
このように、リモコンコードの操作内容を表すテキスト情報を、リモコンコードに対して割り当てた入力手段１５の操作手順を特定する情報に対応させて表示手段１４に表示させるので、ユーザは画面上の表示内容を確認しながら容易に無線携帯端末によるリモコン操作を行うことができる。
【００３４】
制御手段１２は、ユーザによる入力手段１５の操作の手順に従ってメモリ手段１３からリモコンコードを読み出し、リモコンコード送信手段１１から操作情報送出装置へ送信させる。ここでは制御手段１２とリモコンコード送信手段１１によって第２の送信手段を実現している。
【００３５】
以上のように、操作情報送出装置が、電子機器の現在のモードに有効な操作情報を無線携帯端末へ送信して、無線携帯端末に該機器の現モードに対応する操作情報を登録させるので、無線携帯端末への操作情報の登録に手間がかからず、またネットワークへの接続環境がない場合にも操作情報を登録できる。
【００３６】
さらに、電子機器の現在のモードに有効な操作情報のみが無線携帯端末に登録されるので、従来のように操作対象の電子機器の全てのリモコンコードを登録する場合に比べて、無線携帯端末におけるリモコン操作の操作手順が簡便となり、操作性を向上させることができる。
【００３７】
次に、無線携帯端末の他の実施の形態について説明する。図５は他の実施の形態における無線携帯端末の概略ブロック図である。但し、図３に示す無線携帯端末と同一部分には同一符号を付し、適宜説明を省略する。
【００３８】
この無線携帯端末の複数の入力手段１５には点灯手段２０が設けられている。この無線携帯端末の制御手段１２は、メモリ手段１３に記憶したリモコンコードに対して、複数の入力手段１５の何れかを割り当てる。また、制御手段１２はその割り当て方に応じて点灯手段２１の点灯制御を行う点灯制御手段の機能を備える。なお、この無線携帯端末では、前述したテキスト情報の表示を行わないので、図３に示す表示手段１４は設けられておらず、また操作情報にはリモコンコードのみが含まれていればよい。
【００３９】
点灯手段２１の点灯制御としては、例えば、リモコンコードを選択するのに使用する入力手段１５に設けられた点灯手段のみを点灯させたり、点滅させたり、また他のキーとは異なる色を点灯させたりする。
【００４０】
このように、キー等の入力手段の割り当て方に応じて点灯手段の点灯を制御するので、ユーザは点灯手段の点灯状態を確認しながら容易に無線携帯端末によるリモコン操作を行うことができる。
【００４１】
図６は、図２と図５を用いて説明した無線携帯端末を組み合わせた無線携帯端末の概略ブロック図である。この無線携帯端末によれば、テキスト情報を、リモコンコードを選択するのに使用する入力手段の操作手順の情報に対応させて表示し、かつ入力手段の割り当て方に応じて点灯手段の点灯を制御するので、ユーザは表示手段と点灯手段の点灯状態を確認しながら容易に無線携帯端末によるリモコン操作を行うことができる。
【００４２】
図７は無線携帯端末の一例である携帯電話の外観の一例を示す。但し、図３に示す無線携帯端末と同一部分には同一符号を付し、説明を省略する。この携帯電話には、操作情報通信手段（第２の受信手段）およびリモコンコード送信手段（第２の送信手段）として送受信手段３０が設けられており、操作情報送出装置との間のデータ通信を赤外線信号を用いて行う。また、入力手段として携帯電話のテンキー３１が使用される。
【００４３】
図８は本実施の形態における携帯電話（無線携帯端末）の処理の流れの概要を表すフローチャートを示す図である。
ユーザは表示手段１４に表示された携帯電話のモードを選択するためのモード選択画面とテンキー３１より該携帯電話のモードを選択する（ステップＳ１）。ここでは、選択画面の一例として、電話モードとリモコンモードを選択する画面が表示されるものとする。
【００４４】
電話モードが選択された場合、該携帯電話の制御手段１２は通常の電話機能としての電話モード処理を行い、電話モードが終了すると終了処理を行う（ステップＳ２〜Ｓ４）。
ステップＳ２で電話モードが選択されない場合、該携帯電話の制御手段１２は、リモコンモードが選択されたか否かを判断し（ステップＳ５）、リモコンモードが選択された場合には、ステップＳ６に移行する。
【００４５】
リモコンモードが選択されると、該携帯電話は、まずリモコンフォーマットの送信要求を操作情報送出装置（操作対象の電子機器）に対して行う。つまり、該携帯電話の制御手段１２はテンキー３１の押下を監視し（ステップＳ１０）、ユーザによるテンキー３１の操作に従ってリモコンフォーマット送信要求を含むデータを生成し（ステップＳ１１）、操作情報送出装置へ送信する（ステップＳ１２：送信処理）。
【００４６】
図９にリモコンフォーマットの一例を示す。このリモコンフォーマットは、リモコンフォーマットの種別を表すフォーマット４０と、操作対象の電子機器のメーカコード４１と、メーカコードのパリティチェックのためのメーカパリティ４２と、操作対象の電子機器の機器コード４３からなる。
【００４７】
該携帯電話の制御手段１２は、操作情報送出装置からリモコンコード更新要求を含むデータを受信したことを確認した後（ステップＳ６）、操作情報送出装置から現在有効な操作情報を受信すると（ステップＳ７）、その操作情報をメモリ手段１３に記憶し（ステップＳ８）、テキスト情報を表示手段１４に表示させる（ステップＳ９：表示処理）。
【００４８】
そして、該携帯電話の制御手段１２はテンキー３１の押下を監視し（ステップＳ１０）、ユーザによるテンキー３１の操作によって何れかの操作情報（リモコンコード）が選択されると、該当するリモコンコードを含むデータを作成し（ステップＳ１１）、操作情報送出装置へ送信する（ステップＳ１２：送信処理）。その後、ユーザによってリモコンモードの終了が操作されると（ステップＳ１３）、該携帯電話の制御手段１２は終了処理を行う。
【００４９】
なお、リモコンフォーマットを受信した後は、リモコンフォーマットの情報を用いてデータを生成する。また、リモコンフォーマットの送信要求を行うときは、任意の電子機器で受け付け可能なデータを生成する。
【００５０】
図１０は本実施の形態における操作情報送出装置の処理の流れの概要を表すフローチャートを示す図である。
操作情報送出装置の制御手段３は、モード管理手段２より変更後のモードの通知を受けて、モードの変更を判断すると（ステップＳ２０）、その現モードに対応する操作情報を確定し（ステップＳ２１）、まずリモコンコード更新要求を含むデータを作成して携帯電話に送信する（ステップＳ２２）。続いて、現在のモードに対応する操作情報を含むデータを作成して携帯電話に送信し（ステップＳ２３）、最後に通常処理を行う（ステップＳ２４）。なお通常処理とは、操作情報送出装置が設けられている電子機器の動作処理を表す。
【００５１】
図１１に操作情報送出装置と無線携帯端末との間のデータ通信に使用されるデータフォーマットの概要の一例を示す。図１１において、データフォーマット５０は、８ビット単位のデータ列５１からなるコマンドコード６０、機器コード６１、転送バイト数６２、転送データ６３、チェックサム６４からなる。なお、データ列５１の“０／１”の判断は、信号レベルが“Ｈ”の区間５２、５３の長さで判断する。
【００５２】
コマンドコード６０は、制御コマンドである。機器コード６１は操作対象の電子機器の機器コードであり、操作対象の識別に用いられる。転送バイト数６２は通信するデータの総バイト数を表す。転送データ６３は実際に転送されるデータ、すなわち操作情報や図９に示すリモコンフォーマットなどであり、８ビット単位の可変長である。チェックサム６４は転送データ６３の誤りチェックに使用される。
【００５３】
図１２にコマンドコードの一例を、図１３に機器コードの一例を示す。なお、図１２では、操作情報をリモコンコードとテキスト情報に分けて送信する場合のコマンドコードを示しているが、無論、１回の送信でリモコンコードとテキスト情報を送信するようにしてもよい。
【００５４】
なお、本実施の形態では、操作情報送出装置と無線携帯端末との間の通信（デ―タの送受信）をＩＲＤなどの赤外線信号を使用して行う場合を例に説明したが、無論、ブルートゥースなどの無線信号を使用してもよいし、ブルートゥースなどの無線信号と赤外線信号などを組み合わせて使用してもよい。また、操作情報送出装置と無線携帯端末の操作情報通信手段とリモコンコード送信手段を一つの送受信手段で１本化してもよい。
【００５５】
本実施の形態によれば、操作対象の電子機器専用のリモコンを紛失するなどした場合であっても無線携帯端末に操作情報を登録でき、また無線携帯端末への操作情報の登録に手間がかからず、ネットワークへの接続環境がない場合にも操作情報を登録できる。さらに、無線携帯端末に電子機器の現モードに有効な操作情報のみが登録されるので、ＤＶＤプレーヤなどの操作が複雑な電子機器が操作対象であってもユーザは容易に遠隔操作（リモコン操作）を行うことができる。
【産業上の利用可能性】
【００５６】
本発明にかかる機器操作システム、操作情報送出装置、操作情報送出装置付き電子機器、無線携帯端末によれば、操作対象の機器専用のリモコンを紛失するなどした場合であっても無線携帯端末に操作情報を登録でき、また無線携帯端末への操作情報の登録に手間がかからず、ネットワークへの接続環境がない場合にも操作情報を登録でき、かつＤＶＤプレーヤなどの操作が複雑な電子機器が操作対象であってもユーザは容易に遠隔操作（リモコン操作）を行うことができるので、機器の遠隔操作に関する分野において有用である。
【図面の簡単な説明】
【００５７】
【図１】本発明の実施の形態における操作情報送出装置の概略ブロック図
【図２】本発明の実施の形態における操作情報送出装置の操作情報メモリ手段が記憶する操作情報テーブルの一例を説明するための図
【図３】本発明の実施の形態における無線携帯端末の概略ブロック図
【図４】本発明の実施の形態における無線携帯端末のメモリ手段が記憶する操作情報テーブルの一例を説明するための図
【図５】本発明の他の実施の形態における無線携帯端末の概略ブロック図
【図６】本発明の他の実施の形態における無線携帯端末の概略ブロック図
【図７】本発明の実施の形態における無線携帯端末の一例である携帯電話の外観の一例を示す図
【図８】本発明の実施の形態における携帯電話（無線携帯端末）の処理の流れの概要を表すフローチャートを示す図
【図９】本発明の実施の形態におけるリモコンフォーマットの一例を示す図
【図１０】本発明の実施の形態における操作情報送出装置の処理の流れの概要を表すフローチャートを示す図
【図１１】本発明の実施の形態における操作情報送出装置と無線携帯端末との間のデータ通信に使用されるデータフォーマットの概要の一例を示す図
【図１２】本発明の実施の形態におけるコマンドコードの一例を示す図
【図１３】本発明の実施の形態における機器コードの一例を示す図
【符号の説明】
【００５８】
１      操作情報メモリ手段
２      モード管理手段
３      制御手段
４      操作情報通信手段
５      リモコンコード受信手段
１０      操作情報通信手段
１１      リモコンコード送信手段
１２      制御手段
１３      メモリ手段
１４      表示手段
１５      入力手段
２０      点灯手段
３０      送受信手段
３１      テンキー
４０      フォーマット
４１      メーカコード
４２      メーカパリティ
４３      機器コード
５０      データフォーマット
５１      データ列
５２      信号レベルが“Ｈ”の区間
６０      コマンドコード
６１      機器コード
６２      転送バイト数
６３      転送データ
６４      チェックサム
【図１】
2006074529.tif 000003
【図２】
2006074529.tif 000004
【図３】
2006074529.tif 000005
【図４】
2006074529.tif 000006
【図５】
2006074529.tif 000007
【図６】
2006074529.tif 000008
【図７】
2006074529.tif 000009
【図８】
2006074529.tif 000010
【図９】
2006074529.tif 000011
【図１０】
2006074529.tif 000012
【図１１】
2006074529.tif 000013
【図１２】
2006074529.tif 000014
【図１３】
2006074529.tif 000015